(57)【要約】【課題】  特別な弾性特性を有し、必要な時に液体透過性或いは液体吸収能力に関して非対称として構成され得る繊維積層体、特に拭布を提供すること。さらにそのような繊維積層体を製造する方法を提供すること。【解決手段】  繊維積層体、特に吸収性拭布は、スパンボンドウエブ製の少なくとも一層とメルトブロー繊維製の少なくとも一層とが設けられ、親水性繊維製の少なくとも一層が存在し、幾つかのメルトブロー繊維がスパンボンドウエブ製の層と親水性繊維製の層に分布されていることを特徴する。更に、そのような繊維積層体を製造する方法は、スパンボンドウエブの少なくとも一層が形成され、メルトブロー繊維の少なくとも一層が塗布され、層集合体が凝固されて繊維積層体を形成し、特にメルトブロー繊維がメルトブロー繊維層からメルトブロー繊維層に隣接する少なくとも一つの層に侵入する条件下で凝固されることを特徴する。【選択図】    図１
2005067201.tif 000002
【特許請求の範囲】
【請求項１】
繊維積層体、特に吸収性拭布において、スパンボンドウエブ製の少なくとも一層（１）とメルトブロー繊維（８）製の少なくとも一層（２）とが設けられ、親水性繊維の少なくとも一層（３）が存在し、メルトブロー繊維（８）の一部がスパンボンドウエブ製の層（１）及び／又は親水性繊維製の層（３）に分布されていることを特徴とする繊維積層体。
【請求項２】
メルトブロー繊維製の層（２）がスパンボンドウエブ製の層（１）上に配列され、親水性繊維製の層（３）がメルトブロー繊維製の層（２）上に積載されていることを特徴とする請求項１に記載の繊維積層体。
【請求項３】
スパンボンドウエブ製のの少なくとも一つの他の層（４）が親水性繊維製の層（３）上に配列されていることを特徴とする請求項２に記載の繊維積層体。
【請求項４】
メルトブロー繊維は少なくとも一つのエラストマーから成ることを特徴とする請求項１乃至請求項３のいずれか一項に記載の繊維積層体。
【請求項５】
メルトブロー繊維はポリウレタン、ＥＰＤＭのグループから少なくとも一つのエラストマーから成ることを特徴とする請求項１乃至請求項４のいずれか一項に記載の繊維積層体。
【請求項６】
繊維積層体、特に吸収性拭布を製造する方法において、スパンボンドウエブ製の少なくとも一層（１）が形成され、メルトブロー繊維（８）製の少なくとも一層（２）が塗布され、層集合体が凝固されて繊維積層体を形成し、特にメルトブロー繊維がメルトブロー繊維層（２）からメルトブロー繊維層に隣接する少なくとも一つの層に侵入する条件下で凝固されることを特徴とする方法。
【請求項７】
層（１、２）の少なくとも一部が予め凝固されることを特徴とする請求項６に記載の方法。
【請求項８】
層集合体が流体力学的に凝固されることを特徴とする請求項１乃至請求項７のいずれか一項に記載の方法。
【発明の詳細な説明】
【技術分野】
【０００１】
この発明は、スパンボンドウエブ製の少なくとも一層とメルトブロー繊維製の少なくとも一層とから成る繊維積層体、特に吸収性拭布に関する。この発明は、さらに、そのような繊維積層体を製造する方法に関する。繊維積層体と言う用語は多層製品或いは複数の繊維層から成る積層体を意味する。フィラメントと言う用語は連続繊維、即ちスパンボンドウエブが形成される理論的に無限に長い糸を意味する。この発明の範囲内においてフィラメントは特に熱可塑性プラスチックのフィラメントを意味する。
【背景技術】
【０００２】
さらに拭布として選定された吸収性織物構造がプラスチックで生産される方法が知られている。この場合に、熱可塑性プラスチックの繊維は親水性或いは水吸収性繊維と混合される。第一繊維は、例えばポリプロピレン或いはポリエチレン・テレフタレート（ＰＥＴ）のフィラメント或いは繊維から成る。第二親水性繊維は、例えばセルローズ繊維から成る。繊維混合物は公知の処置の一部としてけば立てられて、次に噴射水針通過されるか、或いは流体力学的に凝固される。この公知の方法を使用して生産された拭布は比較的低い弾性しか有しない。拭布の変形後に、ほとんど任意の弾性復元力が生じなく、通常には目に見えるほどの復元はない。さらに、これら公知の拭布は常にその液体透過性或いは液体吸収能力に関して対称的行動を表す。即ち、前記特性は両側、即ち拭布の上面と底面において等しい。しかしながら、それは常に希望されてはいない。
【０００３】
先行技術として不織水圧もつれ非弾性ウエブ及びその製造方法（例えば、欧州特許出願公開第０５７７１５６号明細書＝特開平２−２６９７１号公報［特許文献１］参照）や相対的に親水性のある部分を有する不織ウエブラミネート及びその製造方法（例えば、国際特許出願公開第９８２４６１８号明細書＝特表２００１−５１７１６０号公報［特許文献２］参照）があることが知られている。
【特許文献１】欧州特許出願公開第０５７７１５６号明細書＝特開平２−２６９７１号公報。
【特許文献２】国際特許出願公開第９８２４６１８号明細書＝特表２００１−５１７１６０号公報。
【発明の開示】
【発明が解決しようとする課題】
【０００４】
それに対して、この発明のベースをなす技術問題は、特別な弾性特性を有し、必要な時に液体透過性或いは液体吸収能力に関して非対称として構成され得る繊維積層体、特に拭布を提供することである。この発明はさらにそのような繊維積層体を製造する方法を提供する技術問題に基づいている。
【課題を解決するための手段】
【０００５】
技術問題を解決するために、この発明は、スパンボンドウエブ製の少なくとも一層とメルトブロー繊維製の少なくとも一層とが設けられ、親水性繊維製の少なくとも一層が存在し、メルトブロー繊維の一部がスパンボンドウエブ製の層と親水性繊維製の層に分布されている繊維積層体、特に吸収性拭布を教示する。
【０００６】
この発明により使用されたスパンボンドウエブはフィラメントから成り、スパンボンド方法を使用して適切に製造されている。メルトブロー繊維が連続メルトブロー繊維から成ることは、この発明の範囲内である。親水性繊維はこの発明の範囲内で水吸収性繊維を意味する。特に例えばパルプ繊維或いはビスコース繊維のようなセルローズ繊維は親水性繊維として使用され得る。親水性繊維層はこの発明による繊維積層体における吸収層を形成する。幾つかのメルトブロー繊維がスパンボンドウエブ製の層及び／又は親水性繊維製の層に分布されている事実は、この発明の範囲内で、少なくとも幾つかのメルトブロー繊維が前記層の少なくとも一層における中間空間に入ることを意味する。さらに以下に説明される如く、メルトブロー繊維は好ましくは層集合体の凝固或いは流体力学的凝固のうちに前記層へ移送される。
【０００７】
この発明による繊維積層体の好ましい層が記載されるならば、繊維積層体のそれぞれの最上層は繊維積層体のそれ以上の処理或いは処置中に上方に配向されている層から成る。それで、繊維積層体が上から作用する水噴射凝固を受けるならば、前記最上層は第一層として水噴射を作用される。メルトブロー繊維層がスパンボンドウエブ層上に配列され、親水性繊維層がメルトブロー繊維層上に積載されていることは、この発明の範囲内である。この場合には、目的に適ってメルトブロー繊維製層がスパンボンドウエブ製層上に直接に置かれ、親水性繊維製層がメルトブロー繊維製層上に直接に置かれる。この発明の特殊な実施例によると、メルトブロー繊維製の第二層は親水性繊維製層に配列される。スパンボンドウエブ製のこの層が親水性繊維製層に直接に塗布されるならば、これは非対称の行動（スパンボンドウエブ／メルトブロー繊維層／親水性繊維層／スパンボンドウエブ）を備える繊維積層体である。即ち、液体透過性或いは液体吸収能力は繊維積層体の両面（上面と底面）において異なっている。この場合に、この発明は、スパンボンドウエブ製層に単に隣接するメルトブロー繊維製層が液体透過性を妨げるか、或いは制限する。そのような繊維積層体のこの非対称的行動は多くの場合に所望されている。しかしながら、さらに、メルトブロー繊維製の他の層が親水性繊維製層に配列されて、メルトブロー繊維製の他の層がその間に挿入されることは、この発明の範囲内である。次に、対称的行動を備える繊維積層体は、得られる（スパンボンドウエブ／メルトブロー繊維層／親水性繊維層／スパンボンドウエブ）。液体透過性或いは液体吸収能力は繊維積層体の両面（上面と底面）において等しいか、或いは少なくとも極めて類似である。
【０００８】
この発明の他の実施例によると、繊維積層体はスパンボンドウエブ製の第一層とその上に直接に塗布された親水性繊維製層とから成る。親水性繊維製のこの層に、メルトブロー繊維製層が接続する。スパンボンドウエブ製の第二層はメルトブロー繊維のこの最終層に塗布され得る。
【０００９】
使用されたメルトブロー繊維が少なくとも一つのエラストマーから成ることは、この発明の範囲内である。エラストマーは室温においてゴム弾性である材料或いはプラスチックから成る。それで、弾性メルトブロー繊維が使用される。特に好ましい実施例によると、弾性メルトブロー繊維は、ポリウレタン、エチレンプロピレン・デーネ混合重合体（ＥＰＤＭ）のグループから少なくとも一つのエラストマーから成る。この発明による繊維積層体が３〜１５重量％、好ましくは５〜１０重量％のメルトブロー繊維を含有することは、この発明の範囲内である。
【００１０】
技術問題を解決するために、この発明は、さらにスパンボンドウエブ製の少なくとも一層が形成され、メルトブロー繊維製の少なくとも一層が塗布され、層集合体が凝固されて繊維積層体を形成し、特にメルトブロー繊維がメルトブロー繊維層からメルトブロー繊維層に隣接する少なくとも一つの層に侵入する条件下で凝固される、繊維積層体、特に吸収性拭布を製造する方法を教示することである。
凝固中にメルトブロー繊維がメルトブロー層の片面（上或いはさらに適切な底）のみにおける少なくとも一つの隣接層に移送されることは、この発明の範囲内である。任意の場合に、メルトブロー繊維はメルトブロー繊維層のこの面に直接に隣接する層へ移送される。この直接隣接層は好ましくはスパンボンドウエブ層から成る。
【発明の効果】
【００１１】
繊維積層体の層の少なくとも一部が予め凝固されることは、この発明の範囲内である。他の実施例によると、スパンボンドウエブ製層とメルトブロー繊維製層の集合体は予め凝固されている。それで、予備凝固はメルトブロー繊維製層を塗布する前に或いはこのメルトブロー繊維製層を塗布した後に生じ得る。この予備凝固は好ましくは例えばカレンダーを使用して実施される。親水性繊維はけば立てを使用して及び／又は空気積層装置によって適切に塗布される。
【００１２】
層の組合せ後に、発生層集合体は凝固されて繊維積層体を与える。ここで凝固と言う用語は、最終的凝固を意味する。この発明の極めて好ましい実施例によると、層集合体は流体力学的に凝固される。この場合に、繊維積層体が水噴射処置によって流体力学的に凝固されることは、この発明の範囲内である。そのような水噴射凝固或いは水噴射針通過において、極めて速い水噴射或いは高圧水噴射は繊維積層体を凝固させる。この流体力学的凝固の結果として、メルトブロー繊維はメルトブロー繊維製層からプレスされるか、或いは押圧される。これは、凝固或いは最終凝固の後に幾らかのメルトブロー繊維がメルトブロー繊維製層に隣接した少なくとも一層に存在すると言う結果を有する。
【００１３】
ポリオレフィンやポリエステルのような従来の原料を使用してスパンボンドウエブ或いはウエブ積層体の通常の製造中に、弾性製品或いは弾性復元特性をもつ製品は容易に製造され得ない。しかしながら、この発明は、この発明による繊維積層体において弾性特性がメルトブロー繊維或いは弾性メルトブロー繊維をこの発明による方法に組み込むことによって簡単な形式で調整され得ると言う知識に基づいている。繊維積層体の弾性特性は、この発明の範囲内で、全く特別な重要性を必要とする。この発明によると、優れた弾性によって補助的に区別される吸収性或いは水吸収性拭布を製造することが可能である。この場合に弾性は繊維積層体に組込まれたメルトブロー繊維により達成される。既に上述した如く、この発明による繊維積層体において液体透過性或いは液体吸収能力に関する対称的或いは非対称的特性は必要に応じて好都合に調整され得る。
【発明を実施するための最良の形態】
【００１４】
この発明は、一つのみの例示的実施例を示す図面を参照して詳細に説明される。図１は非対称的特性をもつこの発明による繊維積層体を通る断面を示す概略線図を示す。図２は対称的特性をもつ図１による主題を示す。
【実施例１】
【００１５】
図１に示された繊維積層体はスパンボンドウエブのフィラメントから成る第一層１から成る。これに直接に塗布されるのはメルトブロー繊維８の第一層２である。メルトブロー繊維８製のこの層２に隣接して、親水性繊維製の層３がある。スパンボンドウエブ製の第二層４はこの層３に塗布される。この繊維積層体は水透過性或いは水吸収能力に関する非対称的特性を表す。これは、水透過性或いは水吸収能力が繊維積層体の上面５と底面６を関連して異なることを意味する。
【実施例２】
【００１６】
他方、図２に示された繊維積層体は対称的繊維積層体から成る。この場合に、メルトブロー繊維８製の第二層７は親水性繊維製の層３上に配置される。スパンボンドウエブ製の第二層４はこの前記層７に塗布される。
【００１７】
図１と図２において、メルトブロー繊維８がスパンボンドウエブ製の層１の中間空間に配置され、図２においてそれらメルトブロー繊維がさらに親水性繊維製の層３の中間空間に配置されることが示されている。これらメルトブロー繊維８はその上に配置されるメルトブロー繊維８製の層２或いは７から始まる。図１と図２に示された繊維積層体の製造中に、メルトブロー繊維８は流体力学的凝固中に層１或いは層３へ挿入されるか、プレスされる。この発明の好ましい実施例によると、スパンボンドウエブ製の層１及び／又は親水性繊維製の層３はメルトブロー繊維８の１重量％以上、好ましくは２重量％以上を含有する（重量％データはスパンボンドウエブ製の層１又は親水性繊維製の層３に関している）。
【図面の簡単な説明】
【００１８】
【図１】非対称的特性をもつこの発明による繊維積層体を通る断面を示す概略線図を示す。
【図２】対称的特性をもつ図１による主題を示す。
【符号の説明】
【００１９】
１．．．．．スパンボンドウエブの第一層
２．．．．．メルトブロー繊維の第一層
３．．．．．親水性繊維の層
４．．．．．スパンボンドウエブの第二層
５．．．．．繊維積層体の上面
６．．．．．繊維積層体の底面
７．．．．．メルトブロー繊維の第二層
８．．．．．メルトブロー繊維
【図１】
2005067201.tif 000003
【図２】
2005067201.tif 000004